(57)【要約】  【課題】扉体の前面に化粧部材を取り付けるものにおいて、低コストで確実に化粧部材を扉体に取り付けることができる冷蔵庫を提供することを目的とする。  【解決手段】化粧部材２４は複数のリブ３０、３１、３２、３３により外板２５との間に複数の空間３６、３７、３８を形成し、空間３７にのみ発泡断熱材２９を一体発泡して化粧部材２４を冷蔵室左扉１７の前面に固定するものであり、化粧部材２４はリブと一体発泡した発泡断熱材２９の接着力により、確実に外板表面に固着され、また化粧部材２４と外板表面の境界部からの発泡断熱材２９の漏れも防止することができ、部品点数、作業工数を減らし低コスト化を図りながら、確実に化粧部材２４を扉の前面に固定することができる。【選択図】図４
2009068769.tif 000002
【特許請求の範囲】
【請求項１】
外板と内板との間に発泡断熱材を充填し前面に化粧部材を備えた扉を、貯蔵室の前面開口部に配置した冷蔵庫であって、前記化粧部材は複数のリブにより前記外板との間に複数の空間を形成し、前記空間の一部に前記発泡断熱材を一体発泡して前記化粧部材を前記扉の前面に固定したことを特徴とする冷蔵庫。
【請求項２】
前記外板に開口孔を設け、前記リブの一部を発泡断熱材側に配置させることを特徴とする請求項１に記載の冷蔵庫。
【請求項３】
前記外板と前記化粧部材とを位置決めする位置決め手段を備えたことを特徴とする請求項１または２に記載の冷蔵庫。
【請求項４】
前記位置決め手段は、前記化粧部材から一体に形成した爪と前記外板の開口孔としたことを特徴とする請求項３に記載の冷蔵庫。
【請求項５】
発泡断熱材充填前に前記リブを覆うようにシール部材を配置したことを特徴とする請求項２に記載の冷蔵庫。
【請求項６】
前記シール部材の一部に開口部を形成して前記空間の一部に発泡断熱材を充填することを特徴とする請求項５に記載の冷蔵庫。
【請求項７】
発泡断熱材を充填する空間を形成する前記リブの一方を扉体内部に位置し、他方を前記外板表面に接して位置させることを特徴とする請求項２に記載の冷蔵庫。
【請求項８】
扉体内部に位置するリブは、前記外板表面に接して位置するリブよりも前記発泡断熱材の注入位置側に配置することを特徴とする請求項７に記載の冷蔵庫。
【請求項９】
前記開口孔と前記リブを前記化粧部材の長手方向に対して分割して複数形成したことを特徴とする請求項２に記載の冷蔵庫。
【請求項１０】
前記化粧部材は、前記扉体の上下方向に平行で、前記化粧部材の一端が前記扉体の側面に位置するように配置したことを特徴とする請求項１から９のいずれか一項に記載の冷蔵庫。
【発明の詳細な説明】
【技術分野】
【０００１】
本発明は、冷蔵庫の扉に取り付ける化粧部材に関するものである。
【背景技術】
【０００２】
近年、冷蔵庫は、意匠性を高めるために扉の表面に化粧部材を備えたものが一般的となってきている（例えば、特許文献１参照）。
【０００３】
以下、図面を参照しながら、上記従来の冷蔵庫について説明する。
【０００４】
図１０は、従来の冷蔵庫の扉の斜視図である。図１１は、図１０のＡ−Ａ断面図である。図１０、図１１において、扉本体１は外板２と内板３と、その内部に発泡断熱材４を充填発泡されて構成する。そして、扉本体１の外板２の端部表面には縦長の化粧部材５を備え、化粧部材５は外板２の開口孔（図示せず）に爪７を介してベース部材６に固定され、その後、内部に発泡断熱材４を充填発泡されることで、化粧部材５を外板２の表面に隙間なく確実に取り付けることができるものである。これによって、扉本体１の正面の意匠性を高めることができる。
【特許文献１】特開２００４−１１６７８８号公報
【発明の開示】
【発明が解決しようとする課題】
【０００５】
しかしながら、上記従来の冷蔵庫では、化粧部材５を外板２に確実に取り付けるために、外板２の発泡断熱材４側にベース部材６が必要となり、部品点数の増加、作業工数の増加によりコストアップになるという課題を有していた。
【０００６】
本発明は上記従来の課題を解決するものであり、扉体の前面に化粧部材を取り付けるものにおいて、低コストで確実に化粧部材を扉体に取り付けることができる冷蔵庫を提供することを目的とする。
【課題を解決するための手段】
【０００７】
上記従来の課題を解決するために、本発明の冷蔵庫は、外板と内板との間に発泡断熱材を充填し前面に化粧部材を備えた扉を、貯蔵室の前面開口部に配置した冷蔵庫であって、前記化粧部材は複数のリブにより前記外板との間に複数の空間を形成し、前記空間の一部に前記発泡断熱材を一体発泡して前記化粧部材を前記扉の前面に固定したものである。
【０００８】
これによって、化粧部材はリブと一体発泡した発泡断熱材の接着力により、確実に外板表面に固着され、また、リブにより形成された複数の空間の一部に発泡断熱材を充填することで、化粧部材と外板表面の境界部からの発泡断熱材の漏れも防止することができる。
【発明の効果】
【０００９】
本発明の冷蔵庫は、扉前面の化粧部材を複数のリブにより外板との間に複数の空間を形成し、空間の一部に発泡断熱材を一体発泡して化粧部材を扉の前面に固定するものであり、部品点数、作業工数を減らし低コスト化を図るとともに、確実に化粧部材を扉の前面に固定することができる。
【発明を実施するための最良の形態】
【００１０】
請求項１に記載の発明は、外板と内板との間に発泡断熱材を充填し前面に化粧部材を備えた扉を、貯蔵室の前面開口部に配置した冷蔵庫であって、前記化粧部材は複数のリブにより前記外板との間に複数の空間を形成し、前記空間の一部に前記発泡断熱材を一体発泡して前記化粧部材を前記扉の前面に固定したものであり、化粧部材はリブと一体発泡した発泡断熱材の接着力により、確実に外板表面に固着され、また、リブにより形成された複数の空間の一部に発泡断熱材を充填することで、化粧部材と外板表面の境界部からの発泡断熱材の漏れも防止することができ、部品点数、作業工数を減らし低コスト化を図りながら、確実に化粧部材を扉の前面に固定することができる。
【００１１】
請求項２に記載の発明は、請求項１に記載の発明において、前記外板に開口孔を設け、前記リブの一部を発泡断熱材側に配置させるものであり、より確実に化粧部材を扉の前面に固定することができる。
【００１２】
請求項３に記載の発明は、請求項１または２に記載の発明において、前記外板と前記化粧部材とを位置決めする位置決め手段を備えたものであり、化粧部材を扉の正規の位置にずれることなく、確実に固定することができる。
【００１３】
請求項４に記載の発明は、請求項３に記載の発明において、前記位置決め手段は、前記化粧部材から一体に形成した爪と前記外板の開口孔としたものであり、簡素な構造で化粧部材を扉の正規の位置にずれることなく、確実に固定することができる。
【００１４】
請求項５に記載の発明は、請求項２に記載の発明において、発泡断熱材充填前に前記リブを覆うようにシール部材を配置したものであり、不必要な部分への発泡断熱材の漏れを確実に防止することができる。
【００１５】
請求項６に記載の発明は、請求項５に記載の発明において、前記シール部材の一部に開口部を形成して前記空間の一部に発泡断熱材を充填するものであり、不必要な部分への発泡断熱材の漏れを確実に防止しながら、必要な部分への発泡断熱材の充填を行うことができる。
【００１６】
請求項７に記載の発明は、請求項２に記載の発明において、発泡断熱材を充填する空間を形成する前記リブの一方を扉体内部に位置し、他方を前記外板表面に接して位置させるものであり、リブによる空間の確実な形成と発泡断熱材の接着力の強化という両立を図ることができる。
【００１７】
請求項８に記載の発明は、請求項７に記載の発明において、扉体内部に位置するリブは、前記外板表面に接して位置するリブよりも前記発泡断熱材の注入位置側に配置するものであり、リブで形成した空間への発泡断熱材の充填性の適正化を図ることができる。
【００１８】
請求項９に記載の発明は、請求項２に記載の発明において、前記開口孔と前記リブを前記化粧部材の長手方向に対して分割して複数形成したものであり、長尺状の化粧部材を確実に外板表面に固定することができる。
【００１９】
請求項１０に記載の発明は、請求項１から９のいずれか一項に記載の発明において、前記化粧部材は、前記扉体の上下方向に平行で、前記化粧部材の一端が前記扉体の側面に位置するように配置したものであり、扉体の正面端部に化粧部材を確実に位置決めすることができ、意匠性を高めることができる。
【００２０】
以下、本発明の実施の形態について、図面を参照しながら説明する。なお、この実施の形態によってこの発明が限定されるものではない。
【００２１】
（実施の形態１）
図１は本発明の実施の形態１における冷蔵庫の正面図、図２は同実施の形態の冷蔵庫の冷蔵室左扉の斜視図、図３は同実施の形態の冷蔵庫の冷蔵室左扉の分解斜視図、図４は同実施の形態の冷蔵庫の冷蔵室左扉の部分断面図、図５は同実施の形態の冷蔵庫の冷蔵室左扉の外板と化粧部材を組み込んだ部分斜視図、図６は同実施の形態の冷蔵庫の冷蔵室左扉の外板と化粧部材を組み込んだ斜視図、図７は同実施の形態の冷蔵庫の冷蔵室左扉の外板を内側から見た斜視図、図８は同実施の形態の冷蔵庫の冷蔵室左扉の外板を内側から見た正面図、図９は同実施の形態の冷蔵庫の冷蔵室左扉外板と化粧部材を組み込み、シール部材を貼付した状態を示す図である。
【００２２】
図１から図９において、冷蔵庫１０は最上部に冷蔵室１１、その下方に併設して製氷室１２、切替室１３を備え、さらにその下方に野菜室１４、冷凍室１５を構成している。そして、冷蔵室１１の前面開口部には観音式の冷蔵室右扉１６、および冷蔵室左扉１７を備え、製氷室１２の前面には引出式の製氷室扉１８、切替室１３の前面には引出式の切替室扉１９、野菜室１４の前面には引出式の野菜室扉２０、冷凍室１５の前面には引出式の冷凍室扉２１を備えている。なお、冷蔵室右扉１６と冷蔵室左扉１７の合わせ面は下方に併設した製氷室１２と切替室１３の仕切面と同一線上になるように配置している。
【００２３】
また、観音式の冷蔵室右扉１６と冷蔵室左扉１７の間にはいずれか一方の扉の側面に回転式の仕切体（図示せず）を備え、閉扉時に各扉のシール面を形成する。また、冷蔵室右扉１６の左端面近傍には上端から下端まで配置する樹脂成形した化粧部材２２を有し、その上下略中央付近には複数の操作ボタン２３を備えている。
【００２４】
また、冷蔵室左扉１７の右端面近傍には上端から下端まで配置する樹脂成形した化粧部材２４を備え、両扉の閉扉時に化粧部材２２と化粧部材２４とが一見した時に一体化した化粧部材を成すように配置されている。
【００２５】
また、図２、図３に示すように、冷蔵室左扉１７は、左右端面を折り曲げた外板２５と上下端面を形成する上キャップ２６と下キャップ２７と内板２８との間に充填される発泡断熱材２９とで構成している。
【００２６】
化粧部材２４の内側（外板２５と対向する側）には複数のリブが一体に成形されており、化粧部材２４の巾方向の両端面に形成したＡリブ３０とＤリブ３３との間にＢリブ３１、Ｃリブ３２を形成している。そして、Ａリブ３０とＣリブ３２の先端面は外板２５の前面に接して位置し、Ｂリブ３１は外板２５の開口孔３４を貫通し内部（発泡断熱材２９側）に位置するように形成され、Ｄリブ３３は外板２５の側面３５に接して位置している。
【００２７】
これにより、外板２５とＡリブ３０とＢリブ３１とで囲まれた空間３６、および外板２５とＢリブ３１とＣリブ３２とで囲まれた空間３７、および外板２５とＣリブ３２とＤリブ３３とで囲まれた空間３８を形成している。なお、Ｂリブ３１とＣリブ３２は高さが異なるが、空間３７を形成するように周縁状に構成している。
【００２８】
そして、発泡断熱材２９の充填時に開口孔３４から、外板２５とＢリブ３１とＣリブ３２とで囲まれた空間３７にのみ発泡断熱材２９を一体発泡して、発泡断熱材２９の接着力で化粧部材２４を外板２５に固定する。
【００２９】
また、発泡断熱材２９の充填前の外板２５と化粧部材２４の位置決めは、化粧部材２４に一体成形した爪３９を外板２５の固定用開口孔４０に挿入して位置決め手段としている。
【００３０】
また、図７、図８に示すように、化粧部材２４に形成する複数のリブ（Ａリブ３０、Ｂリブ３１、Ｃリブ３２、Ｄリブ３３）および外板２５の開口孔３４は、化粧部材２４の長手方向に対して分割して複数形成し、さらに化粧部材２４の位置決め用の爪３９および固定用開口孔４０も同様に化粧部材２４の長手方向に対して分割して複数形成している。そして複数のリブと爪３９とは長手方向に交互に形成している。
【００３１】
また、図８に示すように、冷蔵室左扉１７における発泡断熱材２９の注入位置Ｇは冷蔵室左扉１７の上下左右の略中央付近の１箇所であり、外板２５の開口孔３４を貫通し内部（発泡断熱材２９側）に位置するＢリブ３１は、発泡断熱材２９が充填される空間３７を形成するために外板２５に接して位置するＣリブ３２よりも、発泡断熱材２９の注入位置Ｇに近い側に配置している。
【００３２】
また、図６、図９に示すように、内側（発泡断熱材２９側）に位置するＢリブ３１を覆うようにシール部材４１を貼付し、さらに空間３７に連通する開口部４２をシール部材４１に形成している。
【００３３】
以上のように構成された冷蔵庫について、以下その動作、作用を説明する。
【００３４】
冷蔵室左扉１７は、左右端面を折り曲げた外板２５と上下端面を形成する上キャップ２６と下キャップ２７と内板２８との間に充填される発泡断熱材２９とで構成し、冷蔵室左扉１７の右端面近傍には上端から下端まで配置する樹脂成形した化粧部材２４を備えている。
【００３５】
具体的には、化粧部材２４の内側（外板２５と対向する側）には複数のリブが一体に成形されており、上記複数のリブ（Ａリブ３０、Ｂリブ３１、Ｃリブ３２、Ｄリブ３３）と外板２５とで形成される空間３６、空間３７、空間３８のうち、外板２５とＢリブ３１とＣリブ３２とで囲まれた空間３７にのみ、開口孔３４から発泡断熱材２９を一体発泡して、発泡断熱材２９の接着力で化粧部材２４を外板２５に固定する構造としているので、化粧部材２４と外板２５の表面の境界部からの発泡断熱材の漏れも防止することができ、部品点数、作業工数を減らし低コスト化を図りながら、確実に化粧部材を扉の前面に固定することができ、意匠性を高めることができる。
【００３６】
また、発泡断熱材２９を充填する空間３７を形成するＢリブ３１は、外板２５の開口孔３４を貫通し内部（発泡断熱材２９側）に位置するように配置しているので、Ｂリブ３１と発泡断熱材２９の接着性が高まり、より確実に化粧部材を扉の前面に固定することができる。
【００３７】
また、発泡断熱材２９の充填前の外板２５と化粧部材２４の位置決めは、化粧部材２４に一体成形した爪３９を外板２５の固定用開口孔４０に挿入して位置決め手段としているので、化粧部材２４を扉の正規の位置にずれることなく、確実に固定することができる。
【００３８】
より具体的には、固定用開口孔４０はＬ字状に形成しており、固定用開口孔４０の幅広部に爪３９を挿入した後に化粧部材２４の長手方向に移動させ、固定用開口孔４０の爪３９の軸部の巾とほぼ同寸法の巾狭部に位置させることで上下方向の位置決めができる。また、化粧部材２４の前後方向の位置決めは、発泡断熱材２９充填時の発泡治具による押さえと上下端面の上キャップ２６と下キャップ２７との係止により行う。なお、上下端面の上キャップ２６と下キャップ２７との係止は上下の位置決めの役目も果たす。また、左右方向の位置決めは、Ｂリブ３１からＣリブ３２につながる傾斜リブ３１ａの最下部の巾と開口孔３４の巾をほぼ同一とすることで行う。
【００３９】
また、化粧部材２４の内側（発泡断熱材２９側）に位置するＢリブ３１を覆うようにシール部材４１を貼付し、さらに空間３７に連通する開口部４２をシール部材４１に形成しているので、不必要な部分への発泡断熱材２９の漏れを防止しながら、空間３７にのみ確実に発泡断熱材２９の充填を行うことができる。なお、シール部材４１は、通常のクラフトテープや、ウレタンフォームテープが用いられる。ウレタンフォームテープの場合は、発泡断熱材２９発泡時の含浸性があり位置固定には、より有効となる。
【００４０】
また、発泡断熱材２９を充填する空間３７を形成するＢリブ３１は、外板２５の開口孔３４を貫通し内部（発泡断熱材２９側）に位置するように配置し、空間３７を形成する他方のＣリブ３２の先端面は外板２５の前面に接して位置しているので、リブによる空間の確実な形成と発泡断熱材の接着力の強化という両立を図ることができ、簡素な構造で意匠性を高めることができる。
【００４１】
また、外板２５の開口孔３４を貫通し内部（発泡断熱材２９側）に位置するＢリブ３１は、発泡断熱材２９が充填される空間３７を形成するために外板２５に接して位置するＣリブ３２よりも、発泡断熱材２９の注入位置Ｇに近い側に配置しているので、リブで形成した空間３７へは、内部（発泡断熱材２９側）に位置するＢリブ３１を乗り越えて発泡断熱材２９が流れることになり、発泡断熱材２９が液体の状態から発泡状態で空間３７へ流れ込むことで、不必要な漏れを防止しながら、発泡断熱材２９の充填性の適正化を図ることができる。
【００４２】
また、化粧部材２４に形成する複数のリブ（Ａリブ３０、Ｂリブ３１、Ｃリブ３２、Ｄリブ３３）および外板２５の開口孔３４は、化粧部材２４の長手方向に対して分割して複数形成しているので、長尺状の化粧部材２４を確実に外板２５の表面に固定することができる。
【００４３】
また、扉体の長手方向に平行して化粧部材２４を配置する際、化粧部材２４の巾方向の一端面に形成したＤリブ３３は、外板２５の側面３５に接して位置しているので、Ｄリブ３３が横方向の位置決めの役目を果たし、扉体の正面端部に化粧部材２４を確実に正規の位置とすることができ、意匠性を高めることができる。
【００４４】
なお、本実施の形態の化粧部材２４は巾２０ｍｍ程度の比較的巾がせまく、長尺状のものであり、特に上記構造の化粧部材の固定に有効である。
【産業上の利用可能性】
【００４５】
以上のように、本発明にかかる冷蔵庫は、断熱扉体の前面に化粧部材を取り付けるものにおいて、低コストで確実に化粧部材を扉体に取り付けることができるので、断熱扉体の前面に化粧部材を必要とする食品貯蔵庫等の幅広い用途に適用できる。
【図面の簡単な説明】
【００４６】
【図１】本発明の実施の形態１における冷蔵庫の正面図
【図２】同実施の形態の冷蔵庫の冷蔵室左扉の斜視図
【図３】同実施の形態の冷蔵庫の冷蔵室左扉の分解斜視図
【図４】同実施の形態の冷蔵庫の冷蔵室左扉の部分断面図
【図５】同実施の形態の冷蔵庫の冷蔵室左扉の外板と化粧部材を組み込んだ部分斜視図
【図６】同実施の形態の冷蔵庫の冷蔵室左扉の外板と化粧部材を組み込んだ斜視図
【図７】同実施の形態の冷蔵庫の冷蔵室左扉の外板を内側から見た斜視図
【図８】同実施の形態の冷蔵庫の冷蔵室左扉の外板を内側から見た正面図
【図９】同実施の形態の冷蔵庫の冷蔵室左扉外板と化粧部材を組み込み、シール部材を貼付した状態を示す図
【図１０】従来の冷蔵庫の扉の斜視図
【図１１】図１０のＡ−Ａ断面図
【符号の説明】
【００４７】
１０  冷蔵庫
１７  冷蔵室左扉
２４  化粧部材
２５  外板
２８  内板
２９  発泡断熱材
３０  Ａリブ
３１  Ｂリブ
３２  Ｃリブ
３３  Ｄリブ
３４  開口孔
３５  側面
３６，３７，３８  空間
３９  爪
４０  固定用開口孔
４１  シール部材
４２  開口部
【図５】
2009068769.tif 000003
【図６】
2009068769.tif 000004
【図７】
2009068769.tif 000005
【図９】
2009068769.tif 000006
【図１０】
2009068769.tif 000007
【図１１】
2009068769.tif 000008
【図１】
2009068769.tif 000009
【図２】
2009068769.tif 000010
【図３】
2009068769.tif 000011
【図４】
2009068769.tif 000012
【図８】
2009068769.tif 000013